(57)【特許請求の範囲】
【請求項１】
複数の表示装置から映像を投射することで提供映像を表示する表示システムを構成する表示装置であって、
制御信号を受信する通信手段と、
前記制御信号に応じた映像を投射する映像投射手段と、
前記制御信号に基づいて前記映像投射手段の動作を制御する第１の制御手段と、
前記通信手段及び前記第１の制御手段への電源供給を制御する第２の制御手段とを有し、
前記第１の制御手段は、前記通信手段及び前記第１の制御手段に電源が供給される第２の待機モードのときに、前記通信手段が、該通信手段及び前記第１の制御手段に電源が供給されていない第１の待機モードから前記第２の待機モードに移行するためのモード移行信号を受信した場合、トリガ信号を他の表示装置の前記第２の制御手段に出力し、
前記第２の制御手段は、前記第１の待機モードのときに、他の表示装置の前記第１の制御手段から前記トリガ信号を受信した場合、前記通信手段及び前記第１の制御手段に電源を供給することで、前記第２の待機モードに移行する表示装置。
【請求項２】
請求項１に記載の表示装置において、
前記通信手段は、有線を介して信号を受信する表示装置。
【請求項３】
請求項１に記載の表示装置において、
前記通信手段は、無線を介して信号を受信する表示装置。
【請求項４】
請求項１乃至３のいずれか１項に記載の表示装置において、
前記トリガ信号を赤外線によって送受信する赤外線送受信手段を有する表示装置。
【請求項５】
制御信号を受信する通信手段と、前記制御信号に応じた映像を投射する映像投射手段と、前記制御信号に基づいて前記映像投射手段の動作を制御する第１の制御手段と、前記通信手段及び前記第１の制御手段への電源供給を制御する第２の制御手段とを有し、複数の表示装置から映像を投射することで提供映像を表示する表示システムを構成する表示装置の動作制御方法であって、
前記第１の制御手段が、前記通信手段及び前記第１の制御手段に電源が供給される第２の待機モードのときに、前記通信手段が、該通信手段及び前記第１の制御手段に電源が供給されていない第１の待機モードから前記第２の待機モードに移行するためのモード移行信号を受信した場合、トリガ信号を他の表示装置の前記第２の制御手段に出力する処理と、
前記第２の制御手段が、前記第１の待機モードのときに、他の表示装置の前記第１の制御手段から前記トリガ信号を受信した場合、前記通信手段及び前記第１の制御手段に電源を供給することで、前記第２の待機モードに移行する処理とを有する、表示装置の制御方法。
【発明の詳細な説明】
【技術分野】
【０００１】
本発明は、映像を投射する表示装置及び表示装置の動作制御方法に関し、特に、待機モードにおける消費電力を削減する技術に関する。
【背景技術】
【０００２】
プレゼンテーション等にて情報を表示する表示装置として、スクリーン等に映像を投射する投射型プロジェクタ装置が用いられている。投射型プロジェクタ装置は、有線ＬＡＮや無線ＬＡＮを介して制御を行うことが可能であり、映像を投射するための信号を有線ＬＡＮや無線ＬＡＮを介して投射型プロジェクタ装置に与えることにより、遠隔的に情報の表示制御を行うことができる。【０００３】
このような投射型プロジェクタ装置においては、複数の投射型プロジェクタ装置を用い、複数の投射型プロジェクタ装置から同一の映像を同一のスクリーンに投射することで輝度を高めるスタック投射方式が知られている（例えば、特許文献１参照）。スタック投射方式を用いた場合、上述したように輝度を高めることができるとともに、複数の投射型プロジェクタ装置のうち１つの投射型プロジェクタ装置とスクリーンとの間に人等が介在した場合であっても、他の投射型プロジェクタ装置から投射された同一の映像がスクリーン上に表示されているため、映像が見えなくなってしまうことが回避される。
【先行技術文献】
【特許文献】
【０００４】
【特許文献１】特開２００６−１６５９４９号公報
【発明の概要】
【発明が解決しようとする課題】
【０００５】
上述した投射型プロジェクタ装置のような有線ＬＡＮや無線ＬＡＮを介して制御される表示装置においては、消費電力を削減するためにスタンバイモードが設定可能となっている。このスタンバイモードにおいては、映像を投射するための回路に電源を供給しないことによって消費電力を削減しているが、その場合でも、映像を投射するための信号を有線ＬＡＮや無線ＬＡＮを介して受信するための回路に電源を供給しておく必要がある。上述したように複数の表示装置を用いた場合、スタンバイモードでも複数台の電力が消費されてしまうという問題点がある。【０００６】
本発明は、上述したような技術が有する問題点に鑑みてなされたものであって、受信した制御信号によって制御される表示装置を複数用いた表示システムにおいて、映像を投射しない待機モードにおける消費電力を削減することができる表示装置及び表示装置の動作制御方法を提供することを目的とする。
【課題を解決するための手段】
【０００７】
上記目的を達成するために本発明は、
複数の表示装置から映像を投射することで提供映像を表示する表示システムを構成する表示装置であって、
制御信号を受信する通信手段と、
前記制御信号に応じた映像を投射する映像投射手段と、
前記制御信号に基づいて前記映像投射手段の動作を制御する第１の制御手段と、
前記通信手段及び前記第１の制御手段への電源供給を制御する第２の制御手段とを有し、
前記第１の制御手段は、前記通信手段及び前記第１の制御手段に電源が供給されていない第１の待機モードから前記通信手段及び前記第１の制御手段に電源が供給されている第２の待機モードに移行するモード移行信号を前記通信手段にて受信した場合にトリガ信号を出力し、
前記第２の制御手段は、前記通信手段及び前記第１の制御手段に電源を供給していない状態において前記トリガ信号が入力された場合に、前記通信手段及び前記第１の制御手段に電源を供給する。【０００８】
また、制御信号を受信する通信手段と、前記制御信号に応じた映像を投射する映像投射手段と、前記制御信号に基づいて前記映像投射手段の動作を制御する第１の制御手段と、前記通信手段及び前記第１の制御手段への電源供給を制御する第２の制御手段とを有し、複数の表示装置から映像を投射することで提供映像を表示する表示システムを構成する表示装置の動作制御方法であって、
前記第１の制御手段が、前記通信手段及び前記第１の制御手段に電源が供給されていない第１の待機モードから前記通信手段及び前記第１の制御手段に電源が供給されている第２の待機モードに移行するモード移行信号を前記通信手段にて受信した場合にトリガ信号を出力する処理と、
前記第２の制御手段が、前記通信手段及び前記第１の制御手段に電源を供給していない状態において前記トリガ信号が入力された場合に、前記通信手段及び前記第１の制御手段に電源を供給する処理とを有する。
【発明の効果】
【０００９】
本発明によれば、表示システムを構成する複数の表示装置のうち１つを除いた表示装置の通信手段に電源が供給されていない状態においても、通信手段に電源が供給されている表示装置の通信手段にて、通信手段に電源が供給されていない第１の待機モードから通信手段に電源が供給されている第２の待機モードに移行するためのモード移行信号が受信された場合に、この表示装置から出力されるトリガ信号が、通信手段に電源が供給されていない表示装置に入力されることでこの表示装置においても通信手段に電源が供給されることとなるので、映像を投射しない待機モードにおいては、表示システムを構成する複数の表示装置のうち１つの表示装置の通信手段に電源を供給しておけばよい。それにより、受信した制御信号によって制御される表示装置を複数用いた表示システムにおいて、映像を投射しない待機モードにおける消費電力を削減することができる。
【図面の簡単な説明】
【００１０】
【図１】本発明の表示装置を複数有してなる表示システムの実施の一形態を示す構成ブロック図である。
【図２】図１に示した３台の投射型プロジェクタ装置の裏面における接続状態を示す図である。
【図３】図１及び図２に示した投射型プロジェクタ装置の内部回路を模式的に示したブロック図である。
【図４】図１〜図３に示した表示システムにおいて消費電力を削減するための投射型プロジェクタ装置の動作制御方法を説明するためのフローチャートである。
【図５】本発明の表示システムに用いられる投射型プロジェクタ装置の他の実施の形態の内部回路を模式的に示したブロック図である。
【図６】本発明の表示システムに用いられる投射型プロジェクタ装置の他の実施の形態の内部回路を模式的に示したブロック図である。
【発明を実施するための形態】
【００１１】
以下に、本発明の実施の形態について図面を参照して説明する。
【００１２】
図１は、本発明の表示装置を複数有してなる表示システムの実施の一形態を示す構成ブロック図であり、図２は、図１に示した３台の投射型プロジェクタ装置１ａ〜１ｃの裏面における接続状態を示す図である。
【００１３】
本形態は図１及び図２に示すように、３台の表示装置となる投射型プロジェクタ装置１ａ〜１ｃから構成されている。投射型プロジェクタ装置１ａ〜１ｃはそれぞれ、裏面に設けられた有線ＬＡＮポート４ａ〜４ｃに有線ＬＡＮケーブル２が接続されており、この有線ＬＡＮケーブル２を介してネットワークに接続された構成となっている。また、投射型プロジェクタ装置１ａ〜１ｃのそれぞれには、裏面にトリガ信号入力ポート５ａ〜５ｃ及びトリガ信号出力ポート６ａ〜６ｃが設けられており、投射型プロジェクタ装置１ａと投射型プロジェクタ装置１ｂとが、投射型プロジェクタ装置１ａのトリガ信号出力ポート６ａと投射型プロジェクタ装置１ｂのトリガ信号入力ポート５ｂとに接続されたトリガ信号ケーブル３ａを介して接続されており、また、投射型プロジェクタ装置１ｂと投射型プロジェクタ装置１ｃとが、投射型プロジェクタ装置１ｂのトリガ信号出力ポート６ｂと投射型プロジェクタ装置１ｃのトリガ信号入力ポート５ｃとに接続されたトリガ信号ケーブル３ｂを介して接続されている。
【００１４】
このように構成された表示システムにおいては、３台の投射型プロジェクタ装置１ａ〜１ｃから同一の映像を同一のスクリーンに投射するスタック投射方式によって提供映像がスクリーン上に表示されることになる。
【００１５】
図３は、図１及び図２に示した投射型プロジェクタ装置１ａの内部回路を模式的に示したブロック図である。なお、図１及び図２に示した投射型プロジェクタ装置１ｂ，１ｃの内部回路も同様の構成である。
【００１６】
図１及び図２に示した投射型プロジェクタ装置１ａは、図３に示すように、通信手段となる有線ＬＡＮ回路１１と、映像投射手段となるプロジェクタ投射回路１３と、第１の制御手段となるメインＣＰＵ回路１２と、第２の制御手段となるサブＣＰＵ回路１４と、３つの電源スイッチ回路１５〜１７と、電源回路１８と、赤外線受信回路２１と、キースイッチ２２とから構成されている。
【００１７】
有線ＬＡＮ回路１１は、有線ＬＡＮポート４ａに接続されており、電源回路１８から供給される電源によって動作し、映像を投射するための制御信号やモードを移行するためのモード移行信号等のＬＡＮ信号を、有線ＬＡＮポート４ａを介してネットワークとの間で送受信する。
【００１８】
プロジェクタ投射回路１３は、電源回路１８から供給される電源によって動作し、有線ＬＡＮ回路１１にて受信された信号に応じた映像を投射する。
【００１９】
メインＣＰＵ回路１２は、電源回路１８から供給される電源によって動作し、有線ＬＡＮ回路１１にて受信された信号に基づいてプロジェクタ投射回路１３の動作を制御する。また、メインＣＰＵ回路１２は、電源スイッチ回路１７を制御することによって、電源回路１８からプロジェクタ投射回路１３への電源供給を制御する。また、メインＣＰＵ回路１２は、投射型プロジェクタ装置１ａがスタンバイモードであり、投射型プロジェクタ装置１ｂが省電力モードである状態において、有線ＬＡＮ回路１１にてモード移行信号を受信した場合に、トリガ信号をトリガ信号出力ポート６ａを介して出力する。
【００２０】
サブＣＰＵ回路１４は、電源回路１８から供給される電源によって動作し、電源スイッチ回路１５，１６を制御することによって、電源回路１８から有線ＬＡＮ回路１１及びメインＣＰＵ回路１２への電源供給を制御するものであって、トリガ信号入力ポート５ａを介してトリガ信号が入力された場合に、電源スイッチ回路１５，１６を制御することによって、電源回路１８から有線ＬＡＮ回路１１及びメインＣＰＵ回路１２に電源が供給されるように制御する。
【００２１】
赤外線受信回路２１は、外部から赤外線を受信し、その赤外線による信号をサブＣＰＵ回路１４に出力する。
【００２２】
キースイッチ２２は、外部から操作可能に構成され、操作に応じた信号をサブＣＰＵ回路１４に出力する。
【００２３】
以下に、上記のように構成された表示システムにおける投射型プロジェクタ装置１ａ〜１ｃの動作について説明する。
【００２４】
まず、３台の投射型プロジェクタ装置１ａ〜１ｃの電源のモードについて説明する。
【００２５】
３台の投射型プロジェクタ装置１ａ〜１ｃは、電源のモードとして、第１の待機モードである省電力モードと、第２の待機モードであるスタンバイモードと、電源ＯＮモードとの３つのモードの状態がある。
【００２６】
省電力モードは、サブＣＰＵ回路１４のみが、電源回路１８から電源が供給されることによって動作している状態である。このとき、有線ＬＡＮ回路１１は、サブＣＰＵ回路１４において電源スイッチ回路１５が制御されることによって電源が供給されておらず、また、メインＣＰＵ回路１２は、サブＣＰＵ回路１４において電源スイッチ回路１６が制御されることによって電源が供給されていない。さらに、プロジェクタ投射回路１３は、メインＣＰＵ回路１２に電源が供給されていないことにより、電源回路１８からの電源が、メインＣＰＵ回路１２によって制御される電源スイッチ回路１７にて遮断されており、電源が供給されておらず動作していない。なお、メインＣＰＵ回路１２には電源が供給されていないが、電源スイッチ回路１７を制御する信号が“Ｌ”レベルの場合に、電源回路１８から供給される電源を電源スイッチ回路１７にて遮断するように制御されていればメインＣＰＵ回路１２に電源が供給されていなくても問題はない。以上のような省電力モード時には、サブＣＰＵ回路１４にしか電源が供給されていないため電力の消費を極力抑えることができる。
【００２７】
スタンバイモードにおいては、サブＣＰＵ回路１４において電源スイッチ回路１５が制御されることによって有線ＬＡＮ回路１１に電源回路１８からの電源が供給されており、また、サブＣＰＵ回路１４において電源スイッチ回路１６が制御されることによってメインＣＰＵ回路１２に電源回路１８からの電源が供給されている。
【００２８】
電源ＯＮモードにおいては、上述したスタンバイモードから、メインＣＰＵ回路１２において電源スイッチ回路１７が制御されることによってプロジェクタ投射回路１３に電源回路１８からの電源が供給され、プロジェクタ投射回路１３から映像が投射される。
【００２９】
次に、モードを移行させる場合の制御方法について説明する。
【００３０】
投射型プロジェクタ装置１ａ〜１ｃが省電力モードからスタンバイモードに移行する場合は、投射型プロジェクタ装置１ａ〜１ｃを省電力モードからスタンバイモードに移行させるための赤外線による信号が赤外線受信回路２１にて受信されたり、投射型プロジェクタ装置１ａ〜１ｃを省電力モードからスタンバイモードに移行させるための操作がキースイッチ２２に対して行われたりすると、投射型プロジェクタ装置１ａ〜１ｃを省電力モードからスタンバイモードに移行させるための信号がサブＣＰＵ回路１４に送られ、サブＣＰＵ回路１４にて電源スイッチ回路１５，１６が制御されることによって電源回路１８からの電源が有線ＬＡＮ回路１１及びメインＣＰＵ１２に供給され、投射型プロジェクタ装置１ａ〜１ｃがスタンバイモードに移行する。
【００３１】
また、投射型プロジェクタ装置１ａ〜１ｃがスタンバイモードの状態において、投射型プロジェクタ装置１ａ〜１ｃを電源ＯＮモードに移行させるための赤外線による信号が赤外線受信回路２１にて受信されたり、投射型プロジェクタ装置１ａ〜１ｃを電源ＯＮモードに移行させるための操作がキースイッチ２２に対して行われたりすると、投射型プロジェクタ装置１ａ〜１ｃを電源ＯＮモードに移行させるための信号がサブＣＰＵ回路１４を介してメインＣＰＵ回路１２に送られ、メインＣＰＵ回路１２にて電源スイッチ回路１７が制御されることによって電源回路１８からの電源がプロジェクタ投射回路１４に供給され、投射型プロジェクタ装置１ａ〜１ｃが電源ＯＮモードに移行し、有線ＬＡＮ回路１１を介して受信された信号に基づいてプロジェクタ投射回路１３から映像が投射される。なお、スタンバイモードでは、有線ＬＡＮ回路１１も動作しているので、投射型プロジェクタ装置１ａ〜１ｃを電源ＯＮモードに移行させるための信号をネットワークから有線ＬＡＮポート４ａ〜４ｃを介して有線ＬＡＮ回路１１に送ることで電源ＯＮモードに移行することも可能である。
【００３２】
このようにして投射型プロジェクタ装置１ａ〜１ｃの全てが電源ＯＮモードとなり、投射型プロジェクタ装置１ａ〜１ｃのそれぞれから同一の映像が同一のスクリーンに投射されることで、輝度が高い提供映像が表示されることになる。
【００３３】
逆に投射型プロジェクタ装置１ａ〜１ｃが電源ＯＮモードからスタンバイモードに移行するときは、投射型プロジェクタ装置１ａ〜１ｃを電源ＯＮモードからスタンバイモードに移行させるための赤外線による信号が赤外線受信回路２１にて受信されたり、投射型プロジェクタ装置１ａ〜１ｃを電源ＯＮモードからスタンバイモードに移行させるための操作がキースイッチ２２に対して行われたりすると、投射型プロジェクタ装置１ａ〜１ｃを電源ＯＮモードからスタンバイモードに移行させるための信号がサブＣＰＵ回路１４を介してメインＣＰＵ回路１２に送られ、メインＣＰＵ回路１２にて電源スイッチ回路１７が制御されることによって電源回路１８からの電源がプロジェクタ投射回路１４に供給されない状態となり、投射型プロジェクタ装置１ａ〜１ｃがスタンバイモードに移行する。
【００３４】
スタンバイモードとなった投射型プロジェクタ装置１ａ〜１ｃが省電力モードに移行する場合は、例えば、投射型プロジェクタ装置１ａ〜１ｃがスタンバイモードに移行したのち任意の時間、上述したような赤外線受信回路２１における赤外線によるモード移行の信号の受信や、キースイッチ２２に対する操作や、有線ＬＡＮ回路１１におけるモード移行の信号の受信がない場合、サブＣＰＵ回路１４にて電源スイッチ回路１５，１６が制御されることによって電源回路１８からの電源が有線ＬＡＮ回路１１及びメインＣＰＵ１２に供給されなくなり、投射型プロジェクタ装置１ａ〜１ｃが省電力モードに移行する。ここで、例えば、スタンバイモード時に有線ＬＡＮを用いて制御したいユーザーがいた場合は自動で省電力モードに移行しない設定にしておけばスタンバイモードにとどまることも可能である。つまり、電源ＯＮモード以外のときにユーザーが有線ＬＡＮを介した制御を行いたければスタンバイモードで待機させ、有線ＬＡＮを介した制御を行わないのであればより消費電力を削減できる省電力モードで待機させることが選択できる。
【００３５】
以下に、本願発明によって消費電力を削減するための制御方法について説明する。
【００３６】
図４は、図１〜図３に示した表示システムにおいて消費電力を削減するための投射型プロジェクタ装置１ａ〜１ｃの動作制御方法を説明するためのフローチャートである。
【００３７】
上述したように、スタック投射方式で複数台の投射型プロジェクタ装置を、有線ＬＡＮを介して制御する場合、全ての投射型プロジェクタ装置について有線ＬＡＮ回路が動作状態となるスタンバイモードにしておく必要があり、それにより消費電力が増えてしまう問題があった。
【００３８】
本形態においては、図１〜図３に示した３台の投射型プロジェクタ装置１ａ〜１ｃのうち１つの投射型プロジェクタ装置１ａのみを上述した制御によってスタンバイモードにしておき（ステップ１）、それ以外の２台の投射型プロジェクタ装置１ｂ，１ｃを上述した制御によって省電力モードにしておく（ステップ２，３）。この状態においては、スタンバイモードとなっている投射型プロジェクタ装置１ａは有線ＬＡＮを介しての制御が可能であるものの、省電力モードとなっている投射型プロジェクタ装置１ｂ，１ｃは有線ＬＡＮを介しての制御が不可能となっている。
【００３９】
この状態から投射型プロジェクタ装置１ａ〜１ｃの全てを、有線ＬＡＮを介して制御が可能な状態にする場合、まず、投射型プロジェクタ装置１ａに対してモードを移行するためのモード移行信号をネットワークを介して送信すると、モード移行信号が投射型プロジェクタ装置１ａの有線ＬＡＮポート４ａを介して有線ＬＡＮ回路１１にて受信される（ステップ４）。なお、投射型プロジェクタ装置１ａ〜１ｃの全てを、有線ＬＡＮを介して制御が可能な状態にするためのモード移行信号として特定の信号を用いるのではなく、プロジェクタ投射回路１３にて映像を投射するための制御信号をモード移行信号として用いることも考えられる。
【００４０】
すると、投射型プロジェクタ装置１ａのメインＣＰＵ回路１２から、投射型プロジェクタ装置１ｂをスタンバイモードに移行させるためのトリガ信号がトリガ信号出力ポート６ａを介して出力される（ステップ５）。
【００４１】
投射型プロジェクタ装置１ａのメインＣＰＵ回路１２からトリガ信号出力ポート６ａを介して出力されたトリガ信号は、トリガ信号ケーブル３ａを介して投射型プロジェクタ装置１ｂのトリガ信号入力ポート５ｂに入力され、投射型プロジェクタ装置１ｂのサブＣＰＵ回路１４に送られる（ステップ６）。
【００４２】
すると、投射型プロジェクタ装置１ｂにおいて、サブＣＰＵ回路１４にて電源スイッチ回路１５，１６が制御されることによって電源回路１８からの電源が有線ＬＡＮ回路１１及びメインＣＰＵ１２に供給され、投射型プロジェクタ装置１ｂがスタンバイモードに移行する（ステップ７）。
【００４３】
投射型プロジェクタ装置１ｂは、スタンバイモードに移行すると、有線ＬＡＮ回路１１に電源が供給されていることにより、有線ＬＡＮを介した制御が可能な状態となっており、その後、上記モード移行信号が投射型プロジェクタ装置１ｂの有線ＬＡＮポート４ｂを介して有線ＬＡＮ回路１１にて受信されると（ステップ８）、投射型プロジェクタ装置１ｂのメインＣＰＵ回路１２から、投射型プロジェクタ装置１ｃをスタンバイモードに移行させるためのトリガ信号がトリガ信号出力ポート６ｂを介して出力される（ステップ９）。
【００４４】
投射型プロジェクタ装置１ｂのメインＣＰＵ回路１２からトリガ信号出力ポート６ｂを介して出力されたトリガ信号は、トリガ信号ケーブル３ｂを介して投射型プロジェクタ装置１ｃのトリガ信号入力ポート５ｃに入力され、投射型プロジェクタ装置１ｃのサブＣＰＵ回路１４に送られる（ステップ１０）。
【００４５】
すると、投射型プロジェクタ装置１ｃにおいて、サブＣＰＵ回路１４にて電源スイッチ回路１５，１６が制御されることによって電源回路１８からの電源が有線ＬＡＮ回路１１及びメインＣＰＵ１２に供給され、投射型プロジェクタ装置１ｃがスタンバイモードに移行する（ステップ１１）。これにより、投射型プロジェクタ装置１ｃにおいても、有線ＬＡＮ回路１１に電源が供給されていることにより、有線ＬＡＮを介した制御が可能な状態となる。
【００４６】
このように、複数の投射型プロジェクタ装置１ａ〜１ｃから同一の映像を同一のスクリーンに投射するスタック投射方式による表示システムにおいて、投射型プロジェクタ装置１ａ〜１ｃの全てについて、有線ＬＡＮを介した制御を行うための有線ＬＡＮ回路１１に常に電力を供給しておく必要はなく、１つの投射型プロジェクタ装置１ａの有線ＬＡＮ回路１１のみに電力を供給しておき、有線ＬＡＮを介した制御が必要な場合のみ、投射型プロジェクタ装置１ａ〜１ｃの全てについて有線ＬＡＮ回路１１に電力を供給してスタンバイモードに移行すればよいため、映像を投射しない待機モードにおける消費電力を削減することが可能となる。
【００４７】
（他の実施の形態）
図５は、本発明の表示装置の他の実施の形態の内部回路を模式的に示したブロック図である。
【００４８】
本形態における投射型プロジェクタ装置は図５に示すように、図３に示したものに対して、有線ＬＡＮ回路１１の代わりに無線ＬＡＮ回路１９を設け、無線ＬＡＮのネットワークを介して制御されるものである点が異なるものである。
【００４９】
上記のように構成された投射型プロジェクタ装置を用いた表示システムにおいては、上述したプロジェクタ投射回路１３からの映像の投射や、モードを移行するためのモード移行信号は、無線ＬＡＮのネットワークを介して送信されてきて無線ＬＡＮ回路１９にて受信されることになる。
【００５０】
図６は、本発明の表示装置の他の実施の形態の内部回路を模式的に示したブロック図である。
【００５１】
本形態における投射型プロジェクタ装置は図６に示すように、図３に示したものに対して、トリガ信号出力ポート６ａの代わりに赤外線送信回路２３を設けるとともに、トリガ信号入力ポート５ａの代わりに赤外線受信回路２４を設け、これら赤外線送信回路２３及び赤外線受信回路２４の赤外線送受信手段によって、トリガ信号が送受信される点が異なるものである。
【００５２】
上記のように構成された投射型プロジェクタ装置を用いた表示システムにおいては、メインＣＰＵ回路１２から出力されたトリガ信号が赤外線送信回路２３から赤外線として出力され、このトリガ信号が赤外線受信回路２４にて受信され、サブＣＰＵ回路１４に送られることなる。そのため、上述したようにモードが順次移行していく投射型プロジェクタ装置１ａ〜１ｃにおいては、投射型プロジェクタ装置１ａの赤外線送信回路２３と投射型プロジェクタ装置１ｂの赤外線受信回路２４とを対向させ、かつ、投射型プロジェクタ装置１ｂの赤外線送信回路２３と投射型プロジェクタ装置１ｃの赤外線受信回路２４とを対向させることにより、トリガ信号が確実に送受信されることとなる。
【００５３】
なお、上述した実施の形態においては、３台の投射型プロジェクタ装置１ａ〜１ｃのうち、１台の投射型プロジェクタ装置１ａをスタンバイモード、残りの２台の投射型プロジェクタ装置１ｂ，１ｃを省電力モードにしておき、投射型プロジェクタ装置１ａから出力されたトリガ信号によって投射型プロジェクタ装置１ｂがスタンバイモードに移行し、その後、スタンバイモードに移行した投射型プロジェクタ装置１ｂから出力されたトリガ信号によって投射型プロジェクタ装置１ｃがスタンバイモードに移行するものを例に挙げて説明したが、スタンバイモードである投射型プロジェクタ装置１ａから、省電力モードである投射型プロジェクタ装置１ｂ，１ｃにトリガ信号を出力し、これら投射型プロジェクタ装置１ｂ，１ｃが、投射型プロジェクタ装置１ａから出力されたトリガ信号を受信することによってスタンバイモードに移行するものであってもよい。
【００５４】
また、本発明の表示システムは、上述したようなスタック投射方式ではなく、投射型プロジェクタ装置１ａ〜１ｃのそれぞれから１つの映像を分割したものを１つのスクリーンに対して投射して提供画像が表示されるものであってもよい。
【図１】
0005995293.tif 000002
【図２】
0005995293.tif 000003
【図３】
0005995293.tif 000004
【図４】
0005995293.tif 000005
【図５】
0005995293.tif 000006
【図６】
0005995293.tif 000007